(57)【要約】【課題】羽根の反りを抑制し、主板とシュラウドの変形を低減することにより、遠心ファンのバランスを向上することが出来る。【解決手段】このように、第１の羽根部１８は、主板２１と、この主板２１から伸びた複数の羽根２２とからなり、この羽根２２の先端には、第１の平坦端部２７と、連結端部２９とを有し、第２の羽根部１９は、円環状のシュラウド２３と、このシュラウド２３の内面から突出した羽根２２を固定する羽根固定部２４とからなり、羽根固定部２４は、第１の支持部３５と第２の支持部３６との間に設けた第１の平坦端部２７に接触可能な第１の水平平坦面部３３と、この第１の水平平坦面部３３の内方端からシュラウドへ伸びた連結面部とからなり、第１の羽根部１８の連結端部と、第２の羽根部１９の連結面部との間に空間部３７を備えると共に、第１の平坦端部２７には、第１の平坦端部２７から突出した溶着用突起２７ａを設けたことを特徴とする。【選択図】図５
2014047697.tif 000002
【特許請求の範囲】
【請求項１】
第１の羽根部と第２の羽根部とから構成し、前記第１の羽根部は、回転軸が固定される主板と、この主板から伸びた複数の羽根とからなり、この羽根の先端には、前記主板の外周側に位置する第１の平坦端部と、この第１の平坦端部の内方端から前記主板の中央側に伸びた連結端部とを有し、前記第２の羽根部は、前記主板に対向配置される円環状のシュラウドと、このシュラウドの内面から突出した前記羽根を固定する固定部とからなり、前記固定部は、中空形状の凸部と、この凸部から伸びると共に、前記羽根の前記第１の平坦端部と、前記連結端部の少なくとも一部とを挟む第１の支持部と第２の支持部と、これら第１の支持部と第２の支持部との間に設けた前記第１の平坦端部に接触可能な第１の水平平坦面部と、この第１の平坦面部の内方端から前記シュラウドの中央側へ伸びた連結面部とからなり、前記第１の羽根部の前記連結端部と、前記第２の羽根部の前記連結面部との間に空間部を備えると共に、前記第１の平坦端部には、前記第１の平坦端部から突出した溶着用突起を設け、この溶着用突起と前記第２の羽根部の前記第１の平坦面部とを接触させながら超音波によって水平方向へ振動させ、前記第１の羽根部の前記第１の平坦端部の前記溶着用突起を一旦溶かし、前記第１の羽根部の前記第１の平坦端部と前記第２の羽根部の前記第１の平坦面部とを前記溶着用突起によって溶着させることを特徴とする遠心ファン。
【請求項２】
前記シュラウドの前記第１の水平平坦面部には、前記第１の水平平坦面部から伸びた面部側突起部を設け、前記主板の前記第１の平坦端部には、前記面部側突起部が入る端部側切欠部を備え、前記面部側突起部の前記羽根における内方側の端面である面部側突起内端面部と、前記端部側切欠部の前記羽根における内方側の端面である端部側切欠内端面部との間に空間部を備え、前記面部側突起部の前記羽根における外方側の端面である面部側突起外端面部と、前記端部側切欠部の前記羽根における外方側の端面である端部側切欠外端面部とは、下端から上端へ向かうにしたがって前記羽根における外方側へ傾斜すると共に、前記第１の水平平坦面部と前記第１の平坦端部とが接触すると、前記面部側突起外端面部と前記端部側切欠外端面部とが接触することを特徴とする請求項１に記載の遠心ファン。
【請求項３】
前記シュラウドの外面には、第２の平坦面部を有し、この第２の平坦面部は前記第１の平坦面部に対向すると共に、前記第１の支持部と前記第２の支持部の一部に対向することを特徴とする請求項２に記載の遠心ファン。
【請求項４】
請求項１から請求項３のいずれかに記載の遠心ファンを備えたことを特徴とする空気調和機。
【発明の詳細な説明】
【技術分野】
【０００１】
本発明は遠心ファン及びこれを備えた空気調和機に係り、詳細には、加湿装置に備えた送風機に使用される遠心ファンについて、遠心ファンのシュラウドと主板を超音波溶着による接合の精度を向上できるようにしたものに関する。
【背景技術】
【０００２】
空気調和機に備えた送風機に使用される遠心ファンは、第１の羽根部と第２の羽根部とから構成し、前記第１の羽根部は、回転軸が固定された主板と、この主板から伸びた複数の羽根とからなり、この羽根の先端には、前記主板の外周側に位置する水平面である第１の平坦端部と、この第１の平坦端部より前記主板の中央側に位置する水平面である第２の平坦端部と、これら前記第１の平坦端部と前記第２の平坦端部との間には、前記第１の平坦端部と前記第２の平坦端部とを連結する垂直面である連結端部を有し、前記第２の羽根部は、前記主板に対向配置される円環状のシュラウドと、このシュラウドの内面には、前記第１の平坦端部と、前記第２の平坦端部と、前記連結端部とに接触する固定部とからなり、前記第１の羽根部の第１の平坦端部と第２の平坦端部と連結端部とを前記第２の羽根部の固定部とを超音波で溶着したものが知られている（例えば、特許文献１参照）。
【先行技術文献】
【特許文献】
【０００３】
【特許文献１】特開昭５８−３５２９６号公報
【発明の概要】
【発明が解決しようとする課題】
【０００４】
上述したように、従来の空気調和機の遠心ファンは、第１の羽根部と第２の羽根部とを超音波溶着により結合している。その溶着面が曲面の場合、超音波溶着時に力を加える方向に対して水平方向と垂直方向が接触している。
【０００５】
超音波溶着時に力を加える方向に対して垂直方向が接触している場合は、主板から伸びた羽根に対して回転軸方向に力が加わりながら水平方向に振動すると、羽根が反ることにより、主板とシュラウドが変形した状態で結合して、遠心ファンのバランスが崩れるという問題がある。
【０００６】
そこで、本発明は、超音波溶着時の羽根の変形を抑制することにより、遠心ファンのバランス向上を目的とする。
【課題を解決するための手段】
【０００７】
そして、この目的を達成するために、本発明の遠心ファンは、第１の羽根部と第２の羽根部とから構成し、前記第１の羽根部は、回転軸が固定される主板と、この主板から伸びた複数の羽根とからなり、この羽根の先端には、前記主板の外周側に位置する第１の平坦端部と、この第１の平坦端部の内方端から前記主板の中央側に伸びた連結端部とを有し、前記第２の羽根部は、前記主板に対向配置される円環状のシュラウドと、このシュラウドの内面から突出した前記羽根を固定する固定部とからなり、前記固定部は、中空形状の凸部と、この凸部から伸びると共に、前記羽根の前記第１の平坦端部と、前記連結端部の少なくとも一部とを挟む第１の支持部と第２の支持部と、これら第１の支持部と第２の支持部との間に設けた前記第１の平坦端部に接触可能な第１の水平平坦面部と、この第１の平坦面部の内方端から前記シュラウドの中央側へ伸びた連結面部とからなり、前記第１の羽根部の前記連結端部と、前記第２の羽根部の前記連結面部との間に空間部を備えると共に、前記第１の平坦端部には、前記第１の平坦端部から突出した溶着用突起を設け、この溶着用突起と前記第２の羽根部の前記第１の平坦面部とを接触させながら超音波によって水平方向へ振動させ、前記第１の羽根部の前記第１の平坦端部の前記溶着用突起を一旦溶かし、前記第１の羽根部の前記第１の平坦端部と前記第２の羽根部の前記第１の平坦面部とを前記溶着用突起によって溶着させることを特徴としている。
【発明の効果】
【０００８】
本発明によれば、遠心ファンは、第１の羽根部と第２の羽根部とから構成し、前記第１の羽根部は、回転軸が固定される主板と、この主板から伸びた複数の羽根とからなり、この羽根の先端には、前記主板の外周側に位置する第１の平坦端部と、この第１の平坦端部の内方端から前記主板の中央側に伸びた連結端部とを有し、前記第２の羽根部は、前記主板に対向配置される円環状のシュラウドと、このシュラウドの内面から突出した前記羽根を固定する固定部とからなり、前記固定部は、中空形状の凸部と、この凸部から伸びると共に、前記羽根の前記第１の平坦端部と、前記連結端部の少なくとも一部とを挟む第１の支持部と第２の支持部と、これら第１の支持部と第２の支持部との間に設けた前記第１の平坦端部に接触可能な第１の水平平坦面部と、この第１の平坦面部の内方端から前記シュラウドの中央側へ伸びた連結面部とからなり、前記第１の羽根部の前記連結端部と、前記第２の羽根部の前記連結面部との間に空間部を備えると共に、前記第１の平坦端部には、前記第１の平坦端部から突出した溶着用突起を設け、この溶着用突起と前記第２の羽根部の前記第１の平坦面部とを接触させながら超音波によって水平方向へ振動させ、前記第１の羽根部の前記第１の平坦端部の前記溶着用突起を一旦溶かし、前記第１の羽根部の前記第１の平坦端部と前記第２の羽根部の前記第１の平坦面部とを前記溶着用突起によって溶着させることを特徴としている。
【０００９】
このように、超音波溶着する際に、第１の羽根部の連結端部と、第２の羽根部の連結面部との間に空間部を備えると共に、第１の羽根部と第２の羽根部とが水平面のみで接触しているため、羽根の反りを抑制し、主板とシュラウドの変形を低減することにより、遠心ファンのバランスを向上することが出来る。
【図面の簡単な説明】
【００１０】
【図１】本発明の実施の形態１の空気調和機をケース前面側から見た斜視図
【図２】同空気調和機をケース背面側から見た斜視図
【図３】同空気調和機の縦断面図
【図４】同空気調和機の遠心ファンの斜視図
【図５】同空気調和機の遠心ファンを分解した斜視図
【図６】同空気調和機の遠心ファンの羽根固定部の斜視図
【図７】同空気調和機の遠心ファンの溶着前の羽根と羽根固定部の拡大図
【図８】同空気調和機の遠心ファンの溶着後の羽根と羽根固定部の拡大図
【発明を実施するための形態】
【００１１】
以下、本発明の実施の形態について、図を用いて説明する。
【００１２】
図１は、本発明の実施の形態１の空気調和機である加湿装置をケース前面側から見た斜視図である。
【００１３】
本実施の形態による加湿装置は、幅寸法Ｗが奥行き寸法Ｌより大きな本体ケース１で覆われている。本体ケース１は、ケース前面１ａ、他方側のケース側面１ｂ、ケース背面１ｃ、及び一方側のケース側面１ｄによって側面が覆われている。また本体ケース１の天面は、他方側の空間上部を覆う天面パネルである送風側天面１ｅと、一方側の空間上部を覆うタンク側天面１ｆとで覆われ、天面外形は、平面視で長円形状としている。
【００１４】
送風側天面１ｅには、吹出口１０を形成している。吹出口１０は、タンク側天面１ｆと接する外縁以外の送風側天面１ｅの外縁に沿って、Ｕ字状に設けている。
【００１５】
図２は、同加湿装置をケース背面側から見た斜視図である。同加湿装置は、ケース背面１ｃの全幅にわたって吸込口１７を設けている。吸込口１７は、上下方向に上部吸込口１５と下部吸込口１６とに２分割されている。
【００１６】
図３は、同加湿装置の縦断面図である。同加湿装置は、本体ケース１の内部に、送風手段８と、貯水する貯水容器１１と、貯水容器１１から吸水する加湿フィルター１２と、貯水容器１１に水を供給する給水タンク１３とを備えている。
【００１７】
送風手段８は、本体ケース１の他方側の空間ａに配置している。給水タンク１３は、本体ケース１の一方側の空間ｂに配置している。一方側の空間ｂは、給水タンク１３の収納空間を形成している。
【００１８】
送風手段８は、ファン吸気口８ａを構成する筒状部材８ｂと、遠心ファン８ｃと、モータ部８ｅとから構成される。従って、モータ部８ｅの駆動によって、遠心ファン８ｃは回回転する。
【００１９】
送風手段８は、ファン吸気口８ａを下方としてモータ部８ｅを送風側天面１ｅの下面に取り付けている。モータ部８ｅは、送風側天面１ｅの中央に配置し、図１及び図２に示す吹出口１０は、平面視でモータ部８ｅの配設位置以外となる送風側天面１ｅに配置している。
【００２０】
送風手段８の下方には、導風筒９を設けている。導風筒９は、加湿空気をファン吸気口８ａに導く中央連通口２を形成している。中央連通口２の外周には仕切部３が形成されている。
【００２１】
導風筒９は、円弧状の外周面を備えた筒状で、さらに、下方に向かうにしたがって広がる形状に形成され、送風手段８の下方の空間となる上方空間ｄに位置し、他方側の空間ａの水平面の中央部に位置している。
【００２２】
他方側の空間ａは、仕切部３によって下方空間ｃと上方空間ｄとに仕切られる。上方空間ｄは、導風筒９の外周部に形成される。なお、下部吸込口１６は下方空間ｃに臨んで開口し、上部吸込口１５は上方空間ｄに臨んで開口している。
【００２３】
本体ケース１の他方側の空間ａと、本体ケース１の一方側の空間ｂとの間には、内側板６が縦方向に配設されている。内側板６は、本体ケース１の天面から仕切部３の間に設けられている。従って、内側板６は、送風手段８の風路と一方側の空間ｂとを仕切っている。また、内側板６は、上方空間ｄと一方側の空間ｂとを仕切っている。なお、下方空間ｃと一方側の空間ｂとは連通している。
【００２４】
貯水容器１１は、他方側の空間ａ下部と一方側の空間ｂ下部に配置されている。貯水容器１１は、下方空間ｃの下部から給水タンク１３の収納空間となる一方側の空間ｂの下部にかけて、上方を開口し一定水位の水を貯水するトレーで構成されている。
【００２５】
下方空間ｃに位置する貯水容器１１には、上下方向に開口した枠状の加湿フィルター１２が、その下部を水に浸漬し上端部を中央連通口２の周囲に当接させて、載置されている。
【００２６】
一方側の空間ｂは、本体ケース１の天面に形成されたタンク側天面１ｆの下方に形成され、貯水容器１１に給水する給水タンク１３が収納される。給水タンク１３は、タンク側天面１ｆを開いて一方側の空間ｂに挿入され、配設された貯水容器１１の開口部に着脱自在に装着される。
【００２７】
貯水容器１１、加湿フィルター１２、及び給水タンク１３によって加湿手段１４が構成される。
【００２８】
加湿装置の動作について説明する。モータ部８ｅによって、遠心ファン８ｃが回転することによって、本体ケース１の吸込口１７から空気が吸い込まれ、加湿フィルター１２へ送風される。加湿フィルター１２は、給水タンク１３から貯水容器１１に供給された水を吸い上げているので、ここで送風された空気が加湿され、この加湿された空気が、吹出口１０から室内へ送風される。
【００２９】
本実施形態における特徴点は、遠心ファン８ｃの構造にある。図４は、本発明の実施の形態１の加湿装置の遠心ファン８ｃの斜視図である。図５は、本発明の実施の形態１の加湿装置の遠心ファン８ｃを分解した斜視図である。遠心ファン８ｃは、第１の羽根部１８と第２の羽根部１９とから構成している。
【００３０】
第１の羽根部１８は、主板２１と、回転軸固定部２０と、羽根２２とからなる。主板２１は、略円板形状で、中央部が上方へ凸形状となり、この中央部には、筒形状の回転軸固定部２０を設けている。回転軸固定部２０は、モータ部８ｅの回転軸が入り、この回転軸が固定可能な構造である。主板２１の周縁部には、主板２１から上方へ伸びた水平断面形状が翼形状の複数の羽根２２を有する。第１の羽根部１８である、主板２１と、回転軸固定部２０と、羽根２２とは、樹脂材料で一体に形成している。
【００３１】
第２の羽根部１９は、シュラウド２３と、羽根固定部２４とからなる。シュラウド２３は、円環状で、円筒形状の第１のリング部２５と、この第１のリング部２５の下端縁から外方、斜め下方に伸びた、断面形状が曲面形状である第２のリング部２６とからなる。この第２のリング部２６には、第２のリング部２６の内面から突出した、つまり下面から下方に伸びた複数の羽根固定部２４を備えている。これら複数の羽根固定部２４は、主板２１から上方へ伸びた複数の羽根２２に対向した位置に設けられている。第２の羽根部１９は、シュラウド２３である第１のリング部２５、第２のリング部２６と、羽根固定部２４とが、樹脂材料で一体に形成している。複数の羽根固定部２４に、複数の羽根２２が固定されると、シュラウド２３は、主板２１に対向配置される。
【００３２】
羽根２２と羽根固定部２４との固定構造について説明する。
【００３３】
羽根２２の先端には、第１の平坦端部２７と、第２の平坦端部２８と、連結端部２９とを有する。第１の平坦端部２７は、主板２１の外周側に位置し、羽根２２を水平に切断することによりできる水平面であり、第１の平坦端部２７の厚みは、主板２１の外周側から主板２１の中央に向かうにつれて、大きくなる。この第１の平坦端部２７の内方端から主板２１の中央側に伸びたのが、連結端部２９である。連結端部２９は、鉛直連結端部３０と、傾斜連結端部３１とからなる。鉛直連結端部３０は、第１の平坦端部２７の遠心ファン８ｃにおける内方端から鉛直方向に伸びる鉛直面である。傾斜連結端部３１は、鉛直連結端部３０の遠心ファン８ｃにおける内方端から斜め上方向に伸びる傾斜面である。この鉛直連結端部３０の内方端から主板２１の中央側に伸びたのが、第２の平坦端部２８である。この第２の平坦端部２８は、第１の平坦端部２７、連結端部２９より主板２１の中央側に位置し、羽根２２を水平に切断することによりできる水平面である。すなわち、連結端部２９は、第１の平坦端部２７と第２の平坦端部２８との間に位置し、第１の平坦端部２７と第２の平坦端部２８とを連結する。第１の平坦端部２７には、第１の平坦端部２７の水平面よりひとまわり小さい水平段面を有する突起である溶着用突起２７ａを備えている。
【００３４】
図６は、本発明の実施の形態１の遠心ファン８ｃの羽根固定部２４の斜視図である。
【００３５】
図７は、本発明の実施の形態１の遠心ファン８ｃの溶着前の羽根２２と羽根固定部２４の拡大図である。図８は、本発明の実施の形態１の遠心ファン８ｃの溶着後の羽根２２と羽根固定部２４の拡大図である。
【００３６】
羽根固定部２４は、凸部３２と、第１の支持部３５と、第２の支持部３６とからなる。凸部３２は、第２のリング部２６の下面から下方に突出した中空形状の突起である。第２のリング部２６の上面から見ると、凸部３２は、第２のリング部２６の上面から直角三角形の板が入る溝形状である。凸部３２の下端には、水平面である第１の水平平坦面部３３を有し、この第１の水平平坦面部３３の内方端からシュラウド２３の中央側へ伸びた連結面部を備えている。連結面部は、第１の水平平坦面部３３の内方端から、鉛直方向に伸びる鉛直面である第１の鉛直平坦面部３４である。第１の水平平坦面部３３と、第１の鉛直平坦面部３４とは直角に連結している。
【００３７】
第１の水平平坦面部３３および第１の鉛直平坦面部３４の一方側の端面から、それぞれの第１の水平平坦面部３３、第１の鉛直平坦面部３４に対して垂直方向に伸びた細長い突起が、第１の支持部３５である。同様に、第１の水平平坦面部３３および第１の鉛直平坦面部３４の他方側の端面から、それぞれの第１の水平平坦面部３３、第１の鉛直平坦面部３４に対して垂直方向に伸びた細長い突起が、第２の支持部３６である。すなわち、第１の支持部３５と第２の支持部３６との間には、第１の水平平坦面部３３および第１の鉛直平坦面部３４を有する。これら第１の支持部３５と第２の支持部３６との間に、羽根２２の先端が入る構成である。第１の支持部３５と羽根２２との間と、第２の支持部３６と羽根２２との間とには、隙間を有、この隙間は、後述する超音波による振動の幅より大きいものである。
【００３８】
上記構成において、第１の支持部３５と第２の支持部３６との間に、羽根２２の先端を挿入すると、第１の支持部３５と第２の支持部３６とによって、羽根２２の第１の平坦端部２７と、連結端部２９の少なくとも一部である鉛直連結端部３０とが挟まれる。
【００３９】
更に、羽根２２の第１の平坦端部２７の溶着用突起２７ａが、凸部３２の第１の水平平坦面部３３と接触するまで挿入する。この状態で、羽根２２の第１の平坦端部２７の溶着用突起２７ａに、凸部３２の第１の水平平坦面部３３を押し当てながら水平方向へ超音波によって振動させることにより、溶着用突起２７ａが一度溶けた後固まることにより、羽根２２と凸部３２とを溶着するものである。これが超音波溶着である。
【００４０】
ここで、羽根２２の鉛直連結端部３０と、凸部３２の第１の鉛直平坦面部３４との間には、空間部３７を有するので、鉛直連結端部３０と、第１の鉛直平坦面部３４とは接触しない。なお、羽根２２の鉛直連結端部３０と、凸部３２の第１の鉛直平坦面部３４との距離は、超音波溶着する場合に発生する振動によって移動する距離より大きいものである。
【００４１】
このように、超音波溶着する際に、第１の羽根部１８の連結端部２９である鉛直連結端部３０と、第２の羽根部１９の連結面部である第１の鉛直平坦面部３４との間に空間部３７を備えると共に、第１の羽根部１８と第２の羽根部１９とが水平面のみで接触しているため、主板２１から伸びた羽根２２に対して回転軸方向に力が加えながら水平方向に振動させても、羽根２２の反りを抑制し、主板２１とシュラウド２３の変形を低減することにより、遠心ファン８ｃのバランスを向上することが出来る。
【００４２】
また、シュラウド２３の凸部３２の第１の水平平坦面部３３には、第１の水平平坦面部３３から下方へ伸びた面部側突起部３８を設け、主板２１の第１の平坦端部２７には、
面部側突起部３８が嵌る端部側切欠部３９を備えたものである。面部側突起部３８は、第１の水平平坦面部３３の羽根２２における内方端部に設けたものである。面部側突起部３８の高さは、端部側切欠部３９の深さより小さく、溶着用突起２７ａの高さより大きいものである。
【００４３】
面部側突起部３８の羽根２２における内方側の端面が、面部側突起内端面部４０である。端部側切欠部３９の羽根２２における内方側の端面が、端部側切欠内端面部４１である。
【００４４】
面部側突起内端面部４０と端部側切欠内端面部４１との間に空間部３７を備えている。
【００４５】
面部側突起部３８の羽根２２における外方側の端面が、面部側突起外端面部４２である。
【００４６】
端部側切欠部３９の羽根２２における外方側の端面が、端部側切欠外端面部４３である。
【００４７】
面部側突起外端面部４２と端部側切欠外端面部４３とは、下端から上端へ向かうにしたがって羽根２２における外方側へ傾斜するものである。ここで、羽根２２の第１の平坦端部２７と、凸部３２の第１の水平平坦面部３３とが接触すると、面部側突起外端面部４２と端部側切欠外端面部４３とが接触する構成である。
【００４８】
以上の構成での超音波溶着について説明する。
【００４９】
まず、羽根２２の第１の平坦端部２７の溶着用突起２７ａが、凸部３２の第１の水平平坦面部３３と接触するまで挿入する。この状態では、面部側突起内端面部４０と端部側切欠内端面部４１との間に空間部３７を有するので、面部側突起内端面部４０と端部側切欠内端面部４１とは接触しない。第１の平坦端部２７と第１の水平平坦面部３３とが、溶着用突起２７ａの高さ分離れているので、面部側突起外端面部４２と端部側切欠外端面部４３とも、接触していない。
【００５０】
この状態で、羽根２２の第１の平坦端部２７の溶着用突起２７ａに、凸部３２の第１の水平平坦面部３３を押し当てながら水平方向へ振動させると、溶着用突起２７ａと第１の水平平坦面部３３のみが接触しながら振動する。この振動によって、溶着用突起２７ａが溶ける。
【００５１】
次に、溶着用突起２７ａが溶けると、羽根２２の第１の平坦端部２７と、凸部３２の第１の水平平坦面部３３とが近づき、複数ある面部側突起外端面部４２と端部側切欠外端面部４３との少なくとも一つが接触し、位置が決まる。ここで振動を止めると、溶けた溶着用突起２７ａが固まり、羽根２２と凸部３２とが溶着するものである。
【００５２】
すなわち、面部側突起外端面部４２と端部側切欠外端面部４３とは、下端から上端へ向かうにしたがって羽根２２における外方側へ傾斜しているので、溶着用突起２７ａが溶けるまでの振動時には、面部側突起外端面部４２と端部側切欠外端面部４３との接触を抑えることが出来ると共に、溶着用突起２７ａが溶けた場合には、第１の羽根部１８と第２の羽根部１９との位置決めとなる。結果として、羽根２２の反りを抑制し、主板２１とシュラウド２３の変形を低減することにより、遠心ファン８ｃのバランスを向上することが出来る。
【００５３】
また、シュラウドの外面には、第１の平坦溝面部４４を有し、この第１の平坦溝面部４４は第１の水平平坦面部３３に対向すると共に、第１の支持部３５に対向するのである。すなわち、シュラウドの外面、つまり上面は、第２のリング部２６の上面から見ると、凸部３２が、第２のリング部２６の上面から直角三角形の板が入る溝形状である。その溝形状の底面が、第１の平坦溝面部４４である。超音波溶着する際には、この第１の平坦溝面部４４に冶具（図示せず）が入り込んで、第１の水平平坦面部３３と、第１の支持部３５とを同時に押し、第１の水平平坦面部３３を第１の平坦端部２７へ押し当てるのである。すなわち、第１の平坦溝面部４４は、第１の平坦端部２７より第１の支持部３５分、溝形状の厚み方向にひとまわり面積が大きいので、安定して、第１の水平平坦面部３３を第１の平坦端部２７へ押し当てることができる。また、冶具の厚みを大きくでき、結果として、冶具の耐久性も向上させることができる。
【産業上の利用可能性】
【００５４】
本発明によれば、遠心ファンは、第１の羽根部と第２の羽根部とから構成し、前記第１の羽根部は、回転軸が固定される主板と、この主板から伸びた複数の羽根とからなり、この羽根の先端には、前記主板の外周側に位置する第１の平坦端部と、この第１の平坦端部の内方端から前記主板の中央側に伸びた連結端部とを有し、前記第２の羽根部は、前記主板に対向配置される円環状のシュラウドと、このシュラウドの内面から突出した前記羽根を固定する固定部とからなり、前記固定部は、中空形状の凸部と、この凸部から伸びると共に、前記羽根の前記第１の平坦端部と、前記連結端部の少なくとも一部とを挟む第１の支持部と第２の支持部と、これら第１の支持部と第２の支持部との間に設けた前記第１の平坦端部に接触可能な第１の水平平坦面部と、この第１の平坦面部の内方端から前記シュラウドの中央側へ伸びた連結面部とからなり、前記第１の羽根部の前記連結端部と、前記第２の羽根部の前記連結面部との間に空間部を備えると共に、前記第１の平坦端部には、前記第１の平坦端部から突出した溶着用突起を設け、この溶着用突起と前記第２の羽根部の前記第１の平坦面部とを接触させながら超音波によって水平方向へ振動させ、前記第１の羽根部の前記第１の平坦端部の前記溶着用突起を一旦溶かし、前記第１の羽根部の前記第１の平坦端部と前記第２の羽根部の前記第１の平坦面部とを前記溶着用突起によって溶着させることを特徴としている。
【００５５】
このように、第１の羽根部の連結端部と、第２の羽根部の連結面部との間に空間部を備えると共に、前記第１の平坦端部には、前記第１の平坦端部から突出した溶着用突起を設け、この溶着用突起と前記第２の羽根部の前記第１の平坦面部とを接触させながら超音波によって水平方向へ振動させ、前記第１の羽根部の前記第１の平坦端部の前記溶着用突起を一旦溶かし、前記第１の羽根部の前記第１の平坦端部と前記第２の羽根部の前記第１の平坦面部とを前記溶着用突起によって溶着するので、超音波溶着で、第１の羽根部と第２の羽根部とを接合する際に、主板から伸びた羽根に対して回転軸方向に力が加わりながら水平方向に振動しても、第１の羽根部と第２の羽根部とが水平面のみで接触しているため、羽根の反りを抑制し、主板とシュラウドの変形を低減することにより、遠心ファンのバランスを向上することが出来る。
【００５６】
したがって、家庭用空気調和機、特に、加湿装置、加湿空気清浄装置等への活用が期待されるものである。
【符号の説明】
【００５７】
１      本体ケース
１ａ    ケース前面
１ｂ    他方側のケース側面
１ｃ    ケース背面
１ｄ    一方側のケース側面
１ｅ    送風側天面
１ｆ    タンク側天面
２      中央連通口
３      仕切部
６      内側板
８      送風手段
８ａ    ファン吸気口
８ｂ    筒状部材
８ｃ    遠心ファン
８ｅ    モータ部
９      導風筒
１０    吹出口
１１    貯水容器
１２    加湿フィルター
１３    給水タンク
１４    加湿手段
１５    上部吸込口
１６    下部吸込口
１７    吸込口
１８    第１の羽根部
１９    第２の羽根部
２０    回転軸固定部
２１    主板
２２    羽根
２３    シュラウド
２４    羽根固定部
２５    第１のリング部
２６    第２のリング部
２７    第１の平坦端部
２７ａ  溶着用突起
２８    第２の平坦端部
２９    連結端部
３０    鉛直連結端部
３１    傾斜連結端部
３２    凸部
３３    第１の水平平坦面部
３４    第１の鉛直平坦面部
３５    第１の支持部
３６    第２の支持部
３７    空間部
３８    面部側突起部
３９    端部側切欠部
４０    面部側突起内端面部
４１    端部側切欠内端面部
４２    面部側突起外端面部
４３    端部側切欠外端面部
４４    第１の平坦溝面部
【図１】
2014047697.tif 000003
【図２】
2014047697.tif 000004
【図３】
2014047697.tif 000005
【図４】
2014047697.tif 000006
【図５】
2014047697.tif 000007
【図６】
2014047697.tif 000008
【図７】
2014047697.tif 000009
【図８】
2014047697.tif 000010